(57)【要約】【課題】ユーザ装置が、基地局により形成される複数のビームのうち、通信に使用する特定のビームを効率的に選択する。【解決手段】ユーザ装置において、異なる識別子に対応付けられ、それぞれがビームにより送信される複数の同期信号の受信電力を測定し、特定の同期信号を選択する同期信号受信手段と、前記特定の同期信号に対応する識別情報を含む信号を送信する手段と、それぞれがビームにより送信される複数のＣＳＩ−ＲＳを受信する参照信号受信手段と、ＣＳＩ−ＲＳの受信品質を測定し、当該受信品質に基づくフィードバック情報を送信する測定手段とを備え、前記同期信号受信手段は、補助情報を用いて、前記複数の同期信号を受信し、  前記補助情報は、前記ＣＳＩ−ＲＳに対応付けられた番号が、前記同期信号に対応付けられた識別子と関連付けられていることを示し、前記参照信号受信手段は、前記補助情報に基づいて、限定された数のＣＳＩ−ＲＳを受信する。【選択図】図２
2020061790.tif 000002
【特許請求の範囲】
【請求項１】
異なる識別子に対応付けられた複数の同期信号であって、それぞれがビームにより送信される複数の同期信号の受信電力を測定し、特定の同期信号を選択する同期信号受信手段と、
前記特定の同期信号に対応する識別情報を含む信号を送信する手段と、
複数のＣＳＩ−ＲＳであって、それぞれがビームにより送信される複数のＣＳＩ−ＲＳを受信する参照信号受信手段と、
ＣＳＩ−ＲＳの受信品質を測定し、当該受信品質に基づくフィードバック情報を送信する測定手段とを備え、
前記同期信号受信手段は、補助情報を用いて、前記複数の同期信号を受信し、
前記補助情報は、前記ＣＳＩ−ＲＳに対応付けられた番号が、前記同期信号に対応付けられた識別子と関連付けられていることを示し、
前記参照信号受信手段は、前記補助情報に基づいて、限定された数のＣＳＩ−ＲＳを受信する
ことを特徴とするユーザ装置。
【請求項２】
前記補助情報は、受信電力を測定するために使用する同期信号を示す
ことを特徴とする請求項１に記載のユーザ装置。
【請求項３】
前記複数のＣＳＩ−ＲＳが複数の異なる番号に対応付けられており、
前記測定手段において、受信品質に基づいて特定のＣＳＩ−ＲＳを選択し、当該ＣＳＩ−ＲＳの番号及び受信品質をフィードバック情報として送信する
ことを特徴とする請求項１又は２に記載のユーザ装置。
【請求項４】
前記同期信号受信手段は、１つのスロット内において異なる識別子に対応付けられた複数の同期信号の受信電力を測定する
ことを特徴とする請求項１ないし３のうちいずれか１項に記載のユーザ装置。
【請求項５】
ユーザ装置が実行する通信方法であって、
異なる識別子に対応付けられた複数の同期信号であって、それぞれがビームにより送信される複数の同期信号の受信電力を測定し、特定の同期信号を選択する同期信号受信ステップと、
前記特定の同期信号に対応する識別情報を含む信号を送信するステップと、
複数のＣＳＩ−ＲＳであって、それぞれがビームにより送信される複数のＣＳＩ−ＲＳを受信する参照信号受信ステップと、
ＣＳＩ−ＲＳの受信品質を測定し、当該受信品質に基づくフィードバック情報を送信する測定ステップとを備え、
前記同期信号受信ステップにおいて、前記ユーザ装置は、補助情報を用いて、前記複数の同期信号を受信し、
前記補助情報は、前記ＣＳＩ−ＲＳに対応付けられた番号が、前記同期信号に対応付けられた識別子と関連付けられていることを示し、
前記参照信号受信ステップにおいて、前記ユーザ装置は、前記補助情報に基づいて、限定された数のＣＳＩ−ＲＳを受信する
ことを特徴とする通信方法。
【発明の詳細な説明】
【技術分野】
【０００１】
本発明は、無線通信システムの基地局とユーザ装置に関するものである。
【背景技術】
【０００２】
ＬＴＥ／ＬＴＥ−Ａｄａｎｃｅｄでは、システム容量、セル端ユーザスループット等を増大させるＭＩＭＯ技術が採用されている。また、異なるタイプの基地局（マクロセル、スモールセル等）を混在させつつセル間干渉を低減して高品質な通信を実現するヘテロジニアスネットワーク技術が採用されている。
【０００３】
特に、ヘテロジニアスネットワークにおけるスモールセルでは、高周波数帯を使用することが想定されている。ここで、高周波数帯では伝搬ロスが増大することから、それを補うために、ビーム幅の狭いビームフォーミングを行うｍａｓｓｉｖｅ  ＭＩＭＯを適用することが検討されている。
【０００４】
ｍａｓｓｉｖｅ  ＭＩＭＯは、基地局側に多数（例：１００素子）のアンテナを設置する大規模ＭＩＭＯであり、狭い領域に電界の強さを集中させることができるため、ユーザ間の干渉を小さくすることができる。
【先行技術文献】
【特許文献】
【０００５】
【特許文献１】特開２０１３−２１９５０７号公報
【発明の概要】
【発明が解決しようとする課題】
【０００６】
図１は、ｍａｓｓｉｖｅ  ＭＩＭＯを適用した多数のスモールセルが存在する通信環境の例を示す図である。図１に示すように、各スモールセルの基地局から多数のビームが送信されている。このような環境においてユーザ装置（ＵＥ）が移動しながら通信を行う場合、ユーザ装置は、現在位置に適合した特定のビームを選択するとともに、移動に応じてビームを順次切り替えることが必要となる。
【０００７】
このような動作を実現するために、ユーザ装置は候補となる全てのビームの参照信号を監視することが考えられる。しかし、仮に、１スモールセルあたりのビーム数を１００とし、１００個のスモールセルのいずれかに在圏する可能性があるとすると、ユーザ装置ＵＥは、１００×１００＝１００００のビームを監視する必要がある。このような動作は、参照信号のオーバヘッドやフィードバックの情報量を増大させるとともに、ユーザ装置における処理が複雑化するという問題がある。
【０００８】
本発明は上記の点に鑑みてなされたものであり、ビームフォーミングを行う基地局とユーザ装置とを有する無線通信システムにおいて、ユーザ装置が、基地局により形成される複数のビームのうち、通信に使用する特定のビームを効率的に選択することを可能とする技術を提供することを目的とする。
【課題を解決するための手段】
【０００９】
本発明の実施の形態によれば、異なる識別子に対応付けられた複数の同期信号であって、それぞれがビームにより送信される複数の同期信号の受信電力を測定し、特定の同期信号を選択する同期信号受信手段と、
前記特定の同期信号に対応する識別情報を含む信号を送信する手段と、
複数のＣＳＩ−ＲＳであって、それぞれがビームにより送信される複数のＣＳＩ−ＲＳを受信する参照信号受信手段と、
ＣＳＩ−ＲＳの受信品質を測定し、当該受信品質に基づくフィードバック情報を送信する測定手段とを備え、
前記同期信号受信手段は、補助情報を用いて、前記複数の同期信号を受信し、
前記補助情報は、前記ＣＳＩ−ＲＳに対応付けられた番号が、前記同期信号に対応付けられた識別子と関連付けられていることを示し、
前記参照信号受信手段は、前記補助情報に基づいて、限定された数のＣＳＩ−ＲＳを受信する
ことを特徴とするユーザ装置が提供される。
【発明の効果】
【００１０】
本発明の実施の形態によれば、ビームフォーミングを行う基地局とユーザ装置とを有する無線通信システムにおいて、ユーザ装置が、基地局により形成される複数のビームのうち、通信に使用する特定のビームを効率的に選択することを可能とする技術が提供される。
【図面の簡単な説明】
【００１１】
【図１】ｍａｓｓｉｖｅ  ＭＩＭＯ伝送を行う複数のスモールセルが存在する通信環境の例を示す図である。
【図２】本発明の実施の形態に係る無線通信システムの全体構成図である。
【図３】本実施の形態における無線通信システムにおいて使用される参照信号の階層構造を示す図である。
【図４】スモール基地局から複数のビームで送信される発見信号のイメージを示す図である。
【図５】スモール基地局から複数のビームで送信される測定用参照信号のイメージを示す図である。
【図６】発見信号と測定用参照信号の無線リソースへのマッピング例を示す図である。
【図７】発見信号の無線リソースへのマッピング例を示す図である。
【図８】本実施の形態における無線通信システムの動作を示すシーケンス図である。
【図９】無線通信システムにおけるフィードバック情報の送信を示す図である。
【図１０】マクロセル内にスモールセルが存在する通信環境において、ユーザ装置が移動する状況を示す図である。
【図１１】マクロ基地局１０が存在しない場合における動作を示すシーケンス図である。
【図１２】発見信号のビームと測定用参照信号のビームの例１を示す図である。
【図１３】発見信号のビームと測定用参照信号のビームの例２を示す図である。
【図１４】ＰＳＳにおける系列の割り当て例を説明するための図である。
【図１５】ＳＳＳにおける系列の割り当て例を説明するための図である。
【図１６】ビームの階層構造の詳細例を示す図である。
【図１７】中間の広さのビームの例を示す図である。
【図１８】ＰＳＳ／ＳＳＳのマッピング例を示す図である。
【図１９】ＰＳＳ／ＳＳＳの送信間隔例を説明するための図である。
【図２０】測定用参照信号のマッピング例を示す図である。
【図２１】広いビームのマッピング例を示す図である。
【図２２】中間のビームのマッピング例を示す図である。
【図２３】中間のビームの例を示す図である。
【図２４】階層的ビームサーチの例を説明するための図である。
【図２５】階層的ビームサーチの例を説明するための図である。
【図２６】ビームトラッキングを説明するための図である。
【図２７】ビームトラッキングを説明するための図である。
【図２８】キャリアグリゲーションにおける信号のマッピング例を示す図である。
【図２９】ユーザ装置２０の機能構成図である。
【図３０】マクロ基地局１０の機能構成図である。
【図３１】スモール基地局１２の機能構成図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、又は１２もしくはそれ以降に対応する通信方式も含む広い意味で使用する。
【００１３】
また、本実施の形態では、基本的に３階層の参照信号の構成を例として示しているが、階層数はこれに限られるわけではなく、階層数が２であってもよいし、階層数が４以上であってもよい。
【００１４】
（システムの全体構成、動作概要）
図２に、本発明の実施の形態に係る無線通信システムの全体構成図を示す。本実施の形態に係る無線通信システムは、マクロセルを形成するマクロ基地局１０、マクロセルのカバレッジエリア内にあるスモール基地局１１、１２を含む。また、図２には、マクロ基地局１０、スモール基地局１１、１２等と通信を行うユーザ装置２０が示されている。
【００１５】
当該無線通信システムでは、低周波数帯でマクロ基地局１０によりマクロカバレッジを確保し、高周波数帯でスモール基地局１１、１２によりスモールエリア（例：ホットスポット）のトラフィックを吸収する構成としているが、このような周波数帯の割り当ては一例に過ぎず、これに限られるわけではない。
【００１６】
本実施の形態におけるスモール基地局１１、１２は、ｍａｓｓｉｖｅ  ＭＩＭＯの機能を備えており、広いビームから狭いビームまで種々の複数のビームを形成することができる。図２には、当該無線通信システムの動作概要も示されている。図２に示すように、本実施の形態では、各スモール基地局から、複数のプリコードされた参照信号（これを発見信号：ｄｉｓｃｏｖｅｒｙ  ｓｉｇｎａｌと呼ぶ）がそれぞれビームで送信されている。なお、参照信号がプリコードされているとは、送信の例でいえば、参照信号がある幅のビームで送信されるように、アンテナポート毎に送信信号にウェイトが乗算されていることである。例えば、図２に示す例では、スモール基地局１２から、ビーム２−１、ビーム２−２、ビーム２−３のそれぞれで発見信号が送信されている。
【００１７】
ユーザ装置２０は、マクロセルのカバレッジエリアにおいて、マクロ基地局１０からマクロ補助情報（ｍａｃｒｏ−ａｓｓｉｓｔｅｄ  ｉｎｆｏｒｍａｔｉｏｎ）を受信し（ステップ１）、当該マクロ補助情報を用いて、スモール基地局１１、１２から送信される複数の発見信号（各ビームで送信される発見信号）を監視し、特定の発見信号を受信（検出）する。ユーザ装置２０は、受信した発見信号に基づき受信品質（受信電力等）を測定し、測定報告（ｍｅａｓｕｒｅｍｅｎｔ  ｒｅｐｏｒｔ）をマクロ基地局１０に送信する（ステップ２）。そして、マクロ基地局１０は、当該測定報告に基づいて、例えばユーザ装置２０が最も良い品質（例：最も受信電力が高いこと）で信号を受信できたビームを決定し、当該ビームに関連する制御情報（例：ビームに対応する発見信号の識別情報、当該発見信号に対応する測定用参照信号の情報等）をユーザ装置２０に送信する。ユーザ装置２０は、当該制御情報に従って、決定されたビーム上で、該当のスモール基地局が更に細いビームで送信する参照信号（測定用参照信号と呼ぶ）を受信する。このような動作を経て、ユーザ装置２０には、細いビームで送信されるデータ信号（ＰＤＳＣＨ等）を受信する無線リソースが割り当てられ、データ信号の受信を行うことができる。なお、無線通信システムの動作については後により詳細に説明する。
【００１８】
（参照信号の階層構造）
図３を参照して、本実施の形態における無線通信システムにおいて使用される参照信号について説明する。図３に示すように、本実施の形態における参照信号は階層構造になっており、ユーザ装置２０は、上位の階層の参照信号から順次下位の階層の参照信号を参照することで、スモール基地局から送信される複数のビームのうちの最適なビームを検知して、当該ビームで所望のデータ信号の受信を行うことができる。このような階層構造を採用することで、効率良くビームの候補を絞ることができ、非常に多くのビームの参照信号をサーチすることなく、迅速に最適なビームの検知や切り替えを行うことが可能である。
【００１９】
より具体的には、図３に示す例において、第１階層（ｆｉｒｓｔ  ｌａｙｅｒ）として、マクロ補助情報（ｍａｃｒｏ−ａｓｓｉｓｔｅｄ  ｉｎｆｏｒｍａｔｉｏｎ）がある。前述したとおり、マクロ補助情報は、マクロ基地局１０からマクロカバレッジ内のユーザ装置２０に送信され、ユーザ装置２０は当該マクロ補助情報を用いて、発見信号（ｄｉｓｃｏｖｅｒｙ  ｓｉｇｎａｌ）の受信を行う。
【００２０】
マクロ補助情報には、例えば、発見信号が送信される無線リソースの情報（タイミング、周波数等）、発見信号の系列情報等が含まれる。マクロ基地局１０がマクロ補助情報を送信するチャネルは特定の種類のチャネルに限定されないが、例えば、ＬＴＥで規定される制御チャネル、報知チャネル、もしくはデータチャネルを用いて送信される。
【００２１】
無線通信システムにおいては複数のマクロ基地局が存在するが、ユーザ装置２０は、マクロ補助情報を参照することで、当該ユーザ装置２０が在圏しているマクロセル内で受信する可能性のある、サーチすべき発見信号の情報を把握することができる。つまり、マクロ補助情報により、ユーザ装置２０は、図３のＡの枝を特定できる。
【００２２】
マクロ補助情報は、ユーザ装置２０により参照される（ｒｅｆｅｒｎｅｃｅとなる）信号であるから、参照信号と呼ぶことができる。
【００２３】
第２階層（ｓｅｃｏｎｄ  ｌａｙｅｒ）として、発見信号（ｄｉｓｃｏｖｅｒｙ  ｓｉｇｎａｌ）がある。発見信号は、プリコードされており、後述する測定用参照信号の送信ビームよりも広い幅のビームでスモール基地局１１、１２から送信される信号である。各スモール基地局から、互いに異なるビームで複数の発見信号が送信され、ユーザ装置２０は、マクロ補助情報に基づいて、各発見信号を監視し、受信（検知）して、受信品質（受信電力等）の測定を行う。なお、本実施の形態では、特に断らない限り、「受信品質」の用語を、受信電力を含む広い意味で使用する。各発見信号の受信品質に基づき、当該ユーザ装置２０に適したビームの発見信号が特定され、これにより、ユーザ装置２０が受信すべき測定用参照信号が決定される。発見信号に含まれる情報（系列等）は、ビームに対応付けられている。当該情報を「識別子」と称してもよい。すなわち、ユーザ装置２０は、基地局から送信される複数の異なる識別子に対応付けられた発見信号の受信品質（受信電力等）を測定し、特定の発見信号を選択する。この決定方法については後述する。図３の例でいえば、例えば、第２階層においてＢの枝が選択され、当該枝Ｂ配下の複数の測定用参照信号が、ユーザ装置２０が受信すべき測定用参照信号として特定されることになる。
【００２４】
発見信号についても、ユーザ装置２０により参照される信号であるから、これを「参照信号」と呼ぶことができる。また、本実施の形態では、発見信号は、ユーザ装置２０がスモール基地局１１、１２との同期をとるためにも使用されることから、発見信号を「同期信号」と呼ぶこともできる。なお、発見信号として同期信号であるＰＳＳ（Ｐｒｉｍａｒｙ  Ｓｙｎｃｈｒｏｎｉｚａｔｉｏｎ  ｓｉｇｎａｌ）／ＳＳＳ（Ｓｅｃｏｎｄａｒｙ  Ｓｙｎｃｈｒｏｎｉｚａｔｉｏｎ  ｓｉｇｎａｌ）を用いる例を後に説明する。
【００２５】
第３階層（ｔｈｉｒｄ  ｏｒｄｅｒ）として、測定用参照信号がある。測定用参照信号は、第２階層で特定された発見信号を送信するビームの幅よりも狭い幅のビーム（同じ幅のビームであってもよい）でスモール基地局から送信される信号である。スモール基地局は、測定用参照信号をビーム毎に送信し、ユーザ装置２０は、各測定用参照信号を受信し、受信品質（受信電力等）の測定を行って、フィードバック情報（例:最も受信電力の高い測定用参照信号の識別情報等）をスモール基地局に返す動作を行う。フィードバック情報を受信したスモール基地局は、フィードバック情報に基づいて、下りデータ信号についてのリンクアダプテーション、ランクアダプテーション、スケジューリング等を行う。
【００２６】
図３に示す例では、例えば、ユーザ装置２０が測定用参照信号の受信品質の測定を行った結果として、Ｃで示す枝の測定用参照信号に対応するビームがデータ通信用のビームとして選択され、ユーザ装置２０はスモール基地局から送信されるデータ信号を当該ビームで受信する。
【００２７】
なお、最終的に複数のビームが選択されてもよい。図３の例では、枝Ｃのビームと枝Ｅのビームが選択されている。ユーザ装置２０が複数のビームを用いることで、例えば、協調送信によるスループットの向上や、複数のスモール基地局を用いたロードバランシング等を実現できる。
【００２８】
以下では、発見信号と測定用参照信号をより詳細に説明する。
【００２９】
（発見信号と測定用参照信号の詳細）
図４に、スモール基地局１１、１２からそれぞれが１つのビームで送信される複数の発見信号のイメージを示す。発見信号は、大まか（ラフ）で低速なビームの特定や、スモール基地局１１、１２との時間／周波数の同期に用いられるものである。発見信号を送信する各ビームは一般に、測定用参照信号を送信する各ビームよりも幅が広いため、以降、これを「広ビーム」と呼ぶ場合がある。また、測定用参照信号を送信するビームを「狭ビーム」と呼ぶ場合がある。
【００３０】
本実施の形態では、発見信号は、所定の無線リソースにおいて、低頻度（ｓｐａｒｓｅ）の時間間隔で高密度（ｄｅｎｓｅ）にマッピングされることを想定している。発見信号は、例えば１０〜２０ｍｓに１回の頻度で送信されてよい。また、発見信号は同期にも使用されるため、セル端のように基地局から離れているような場合でもできるだけ良い品質で受信できるように、高密度でマッピングすることとしている。
【００３１】
また、ユーザ装置の能力（使用できる帯域幅）には様々なものがあり、発見信号はどのような帯域幅のユーザ装置でも検出できるように、所定のコアとなる狭い帯域幅内にマッピングされる。例えば、発見信号は、システム帯域幅の中央部分の所定の帯域幅の周波数ブロックにマッピングされる。所定の帯域幅とは、例えば、最少の帯域幅のユーザ装置が使用する帯域幅である。
【００３２】
次に、測定用参照信号について説明する。図５に、スモール基地局１１、１２から複数のビーム（狭ビーム）で送信される測定用参照信号のイメージを示す。図５には、発見信号のビームも示されている。図５に示すように、測定用参照信号の各狭ビームは、発見信号のビーム（広ビーム）よりも幅が狭く、広ビームに対応する複数の狭ビームが当該広ビーム上で送信される。広ビーム上で送信されるとは、例えば、当該複数の狭ビーム全体の幅が、当該広ビームの幅内にあることである。測定用参照信号は、細かで高速なビームの特定や、フィードバック情報に基づく動的なランクアダプテーション（最適なＭＩＭＯランクの選択）、リンクアダプテーション（最適な変調／符号化方式決定等）、スケジューリング等に用いられる。
【００３３】
測定用参照信号についても、発見信号と同様に低頻度（ｓｐａｒｓｅ）の送信タイミングで送信される。また、周波数方向については、帯域全体にわたる測定を可能とするために、１ＴＴＩ（１サブフレーム）あたりに広い帯域にマッピングされる。
【００３４】
つまり、測定用参照信号については、例えばＬＴＥにおけるＣＳＩ−ＲＳと同様に低頻度で送信することで、オーバーヘッドを小さくしている。また、測定用参照信号は、直交偏波（Ｄｕａｌ  Ｐｏｌａｒｉｚｅｄ）アンテナポートをサポートする。なお、直交偏波アンテナを偏波共用アンテナと呼んでもよい。
【００３５】
図６に、発見信号と測定用参照信号のマッピング例を示す。図６の（ａ）は本実施の形態の無線通信システムにおけるフレームを示す。図６（ａ）のフレームの各四角がスロットを示す。これらのフレーム、スロットの長さは現状のＬＴＥで規定されているものと同じでもよいし、異なっていてもよい。例えば、当該スロットは、ＬＴＥで規定されるサブフレームであってもよい。
【００３６】
図６に示すとおり、この例では、発見信号はフレームの先頭のスロットにおいて図６（ｂ）に示すようにマッピングされる。また、測定用参照信号はフレームの２番目のスロットにおいて図６（ｃ）のようにマッピングされる。そして、このマッピングがフレーム毎に繰り返される。ただし、これは一例にすぎず、より高頻度にマッピングしてもよいし、より低頻度にマッピングしてもよいし、発見信号と測定用参照信号をスロットにマッピングする頻度が異なっていてもよい。また、発見信号のスロットと測定用参照信号のスロットとの間に空き（ギャップ）があってもよい。
【００３７】
図６（ｂ）に示すように、この例では、発見信号はシステム帯域の中央部分に、所定の帯域幅を持ってマッピングされる。前述したように、この所定の帯域幅は、例えば、最低の能力のユーザ装置により使用される帯域幅である。また、本例では、異なる広ビームの複数の参照信号が時間多重される。図６（ｂ）の例では、時間多重された発見信号の同じセット（ビーム１〜ビームＮ）を２回送信することとしている。これにより、ユーザ装置において周波数誤差の修正を行うことが可能である。
【００３８】
ユーザ装置２０は、例えば、最も受信品質の良い（例：受信電力の大きい）発見信号を示す情報（識別子、インデックス等）をマクロ基地局１０に通知する。当該情報は、例えば、発見信号の系列から取得可能な情報である。ここで、発見信号を示す情報は、発見信号を送信する広ビームを示す情報でもある。なお、図６（ｂ）に示す例では、複数の広ビームの発見信号を時間多重しているが、周波数方向に周波数多重することとしてもよい。つまり、この場合、例えば、発見信号１（広ビーム１）を周波数１で送信し、発見信号２（広ビーム２）を周波数２で送信し、...といったように送信する。
【００３９】
図６（ｃ）は、測定用参照信号のマッピングスロットにおける測定用参照信号のマッピング例を示す。図６（ｃ）において、１、２...等の番号は、測定用参照信号の識別番号（インデックス）であるとともに、当該測定用参照信号を送信する狭ビームの識別番号（インデックス）でもある。これをビームＩＤと呼んでもよい。当該識別番号は、例えば、測定用参照信号の系列から取得可能な情報である。図６（ｃ）に示すように、測定用参照信号は、システム帯域の全体にマッピングされる。これはＣＳＩ−ＲＳ等の既存の参照信号と同様に、システム帯域全体にわたる受信品質を測定することを可能とするためである。
【００４０】
図６（ｃ）の例では、発見信号を送信する広ビームに対応付けて、狭ビームで送信される各測定用発見信号が時間多重されている。すなわち、例えば、狭ビーム１〜４の測定用参照信号１〜４が広ビーム１の発見信号１に対応し、狭ビーム５〜８の測定用参照信号５〜８が広ビーム２の発見信号２に対応し、...．狭ビームＸ＋１〜Ｘ＋４の測定用参照信号Ｘ＋１〜Ｘ＋４が広ビームＸの発見信号Ｘに対応する。１つの測定用参照信号のリソース内では、アンテナポート毎に信号のリソースが例えばくし歯状にマッピングされる。
【００４１】
ユーザ装置２０は、例えば、最も受信品質の良い発見信号に対応する測定用参照信号のタイミング及び系列情報を制御情報としてマクロ基地局１０から受信することで、特定の複数の測定用参照信号のみを監視することができる。あるいは、マクロ補助情報の中に、マクロカバレッジ内の発見信号のタイミング及び系列情報に加えて、マクロカバレッジ内の測定用参照信号のタイミング及び系列情報（つまり、発見信号と測定用参照信号の対応情報）が含まれていてもよく、そのような場合には、ユーザ装置２０は、最も受信品質の良い発見信号（広ビーム）を特定した後、マクロ基地局１０へ報告することなく、当該発見信号に対応する複数の測定用参照信号の受信を行ってもよい。
【００４２】
図６に示すように、ユーザ装置２０は、一部の周波数領域内のみにマッピングされた発見信号を受信し、発見信号がマッピングされた周波数領域よりも広い周波数領域にマッピングされた測定用参照信号を受信するのである。また、スモール基地局１１、１２は、一部の周波数領域内のみにマッピングされた発見信号を送信し、発見信号がマッピングされた周波数領域よりも広い周波数領域にマッピングされた測定用参照信号を送信する。
【００４３】
図７（ａ）、（ｂ）は、発見信号のリソース内のマッピングの例を示す図である。図中、番号が記載されているリソースエレメントに発見信号がマッピングされている。また、当該番号はビームもしくはアンテナポートの区別を示す。例えば、スモール基地局が８アンテナで発見信号を送信する場合において、１ビーム当たり８アンテナ分のリソースエレメントが使用され、８ビームを形成する場合、８×８＝６４リソースエレメントへの信号のマッピングが行われることになる。図７（ａ）はそのようなマッピングの例を示す。また、図７（ａ）は、時間方向と周波数方向において空きを形成するマッピング方法の例でもある。例えば、図７（ａ）のＢに示す周波数エレメントにはマッピングがなされておらず、Ａに示すシンボルにはマッピングがなされていない。
【００４４】
図７（ｂ）は、時間方向と周波数方向の全てのリソースにマッピングが行われる場合の例である。図７（ｂ）の場合には、図７（ａ）に示したような全く使用されない時間／周波数リソースがない。
【００４５】
なお、図７（ａ）、（ｂ）は発見信号のマッピングの例であるが、同様のマッピングを測定用参照信号に用いることもできる。
【００４６】
（無線通信システムの動作例）
次に、図８を主に参照して、本発明の実施の形態に係る無線通信システム（図２に示した無線通信システム）の動作例を説明する。図８に示す例では、ユーザ装置２０はスモール基地局１２から送信される発見信号を最も受信品質の良好な発見信号として検知することから、図８にはスモール基地局１１とスモール基地局１２のうちスモール基地局１２が示されている。
【００４７】
マクロ基地局１０は、マクロセルのカバレッジに在圏するユーザ装置２０に対して、例えば周期的にマクロ補助情報を送信しており、ユーザ装置２０は当該マクロ補助情報を受信する（ステップ１０１）。例えば、ユーザ装置２０はマクロ基地局１０から送信されるシステム情報により、マクロ補助情報の送信周期、周波数等のリソースを把握しているものとする。
【００４８】
スモール基地局１２は、前述したように、広ビームを形成するプリコードされた複数の発見信号を送信している（ステップ１０２）。ユーザ装置２０は、ステップ１０１で受信したマクロ補助情報に基づき、各発見信号の送信タイミング、及び系列（識別子、インデックス等の情報を含む）を把握しているので、これらを用いることで、スモール基地局１２から送信された各発見信号を受信し、受信品質（受信電力等）を測定する。すなわち、マクロ補助情報により、複数の発見信号を測定するために使用する識別子（ビーム）の候補を限定する。
【００４９】
発見信号は、ＬＴＥにおける同期信号（ＳＳ）と同様の機能を有しており、ユーザ装置２０は、発見信号を受信することで、スモール基地局１２との間で周波数同期をとるとともに、タイミング同期（シンボル同期、フレーム同期等）をとる。また、発見信号により、スモール基地局１２のカバレッジでの通信に必要な情報（最小限のシステム情報等）を受信してもよい。
【００５０】
ユーザ装置２０は、検知できた発見信号についての受信品質（受信電力等）を測定し、測定結果を測定報告（ｍｅａｓｕｒｅｍｅｎｔ  ｒｅｐｏｒｔ）としてマクロ基地局１０３に送信する（ステップ１０３）。測定報告には、受信できた発見信号の識別情報（識別子、インデックス等）、各発見信号についての受信品質（例：受信電力等）が含まれる。この測定報告で使用するチャネルの種類は限定はされないが、例えば、上りリンクの物理共有チャネル（ＰＵＳＣＨ）を使用することができる。なお、例えば、受信品質が最も高い発見信号のみについての測定報告を送信してもよい。更に、例えば、受信品質が高いほうから所定数個の発見信号についての測定報告を送信することとしてもよい。
【００５１】
発見信号についての測定報告をユーザ装置２０から受信したマクロ基地局１０は、当該測定報告に基づいて、ユーザ装置２０が最も良好に受信した発見信号（広ビーム）を特定し、当該発見信号に対応するスモール基地局１２とユーザ装置２０が受信すべき測定用参照信号を決定する（割り当てる）。そして、マクロ基地局１０は、当該スモール基地局１２の識別情報（スモールセルのＩＤ等）、ユーザ装置２０が受信すべき測定用参照信号のタイミング及び系列等を含む制御情報をユーザ装置２０に通知する（ステップ１０４）。当該無線通信システムがキャリアアグリゲーションをサポートする場合において、スモール基地局１２の識別情報の通知は、Ｓｃｅｌｌの割り当てとして行うこととしてもよい。つまり、この場合、ユーザ装置２０は、マクロ基地局１０により形成されるＰｃｅｌｌ（プライマリコンポーネントキャリアにより形成されるセル）とスモール基地局１２により形成されるＳｃｅｌｌ（セカンダリコンポーネントキャリアにより形成されるセル）とを同時に使用して通信を行う。
【００５２】
また、マクロ基地局１０は、上記の割り当て情報（ユーザ装置１２が通信を行うスモール基地局１２の識別情報、Ｓｃｅｌｌの割り当て情報、ユーザ装置２０が受信すべき測定用参照信号の情報等）をバックホール回線を通じてスモール基地局１２に送信することとしてもよい（ステップ１０５）。ただし、この動作は必須ではない。例えば、バックホール回線を経由した割り当て情報の通知がない場合、スモール基地局１２は、全ての測定用参照信号を送信し、受信すべき測地用参照信号（狭ビーム）を把握しているユーザ装置２０からのフィードバック情報に基づいて、ユーザ装置２０にデータ信号通信用の狭ビームを割り当てればよい。
【００５３】
スモール基地局１２は、バックホール回線を介した割り当て情報を受信することで、キャリアアグリゲーションでのＳｃｅｌｌの動作や、ユーザ装置が存在しない方向への測定用参照信号を送信しない等の動作を実施できる。
【００５４】
上記のステップ１０４での制御情報を受信したユーザ装置２０は、狭ビームで送信される限定された数の測定用参照信号を受信することができる。
【００５５】
ユーザ装置２０は、上記の制御情報に従って、スモール基地局１２から送信される各狭ビームの複数の測定用参照信号を受信し（ステップ１０６）、受信品質（受信電力等）の測定を行って、受信品質に基づいて特定の測定用参照信号を選択し、選択した測定用参照信号の番号等の識別情報を含むフィードバック情報を上りチャネルを用いてスモール基地局１２に送信する（ステップ１０７）。上記の選択は、受信品質が最も良いものを選択することとしてもよいし、受信品質が高いほうから所定数個を選択することとしてもよいし、その他の方法で選択してもよい。また、フィードバック情報には、受信電力に代えて、又は受信電力に加えて、ＣＱＩ、ランク等のＣＳＩが含まれていてもよい。スモール基地局１２は、フィードバック情報に基づいて、ユーザ装置２０へのデータ信号等（ＰＤＳＣＨ、ＥＰＤＣＣＨ等）の送信のための狭ビームの決定を行い当該狭ビームにより下り方向の通信を行う。
【００５６】
ユーザ装置２０がフィードバック情報を送信する上りチャネルとしては、例えばＬＴＥで規定された上りリンクの物理制御チャネル（ＰＵＣＣＨ／ＥＰＵＣＣＨ）、もしくはランダムアクセスチャネル（ＰＲＡＣＨ）を使用することができるがこれに限られるわけではない。また、上りチャネルのリソースについては、マクロ基地局１０から割り当ててもよいし、発見信号によりスモール基地局１２との同期がとれた後に、スモール基地局１２から割り当てることとしてもよい。ここでのフィードバック情報の送信は図９においてもステップ１０７として示されている。
【００５７】
フィードバック情報を受信したスモール基地局１２は、スケジューリングを行って、ユーザ装置２０に適したビーム、ランク、ＭＣＳ（変調方式／符号化率）、リソース等を決定して、データ信号の送信を行う（ステップ１０８）。より詳細には、ステップ１０８の前に、割り当て情報が制御チャネルでスモール基地局１２からユーザ装置２０に送信されてもよい。
【００５８】
図１０は、本実施の形態に係る無線通信システムが使用される通信環境において、ユーザ装置２０が移動する場合の状態を示す図である。すなわち、図１０には、マクロセルのカバレッジ内において、ユーザ装置２０が移動し、２つのスモールセルを通過する様子が示されている。
【００５９】
図１０に示すように、Ａ地点にいたユーザ装置２０が移動し、スモールセル１のカバレッジに入るところ（Ｂ地点）に到達する。ユーザ装置２０は、マクロ補助情報に基づいて、所定間隔で発見信号をサーチしており、Ｂ地点に到達した時点で、スモールセル１の所定の広ビームで送信される発見信号を検出する。これにより、前述した動作により、広ビーム上で、狭ビームにより送信される測定用参照信号を受信して、フィードバック情報を返すことで、適切なリソース割り当てやビーム選択が行われ、データ信号の通信を行う。スモールセル１のカバレッジ内では、動的に狭ビーム（必要に応じて広ビーム）の切り替えが行われ、ユーザ装置２０は移動しながら適切なビームにより通信を継続できる。
【００６０】
ユーザ装置２０がスモールセル１のカバレッジの外に出ると、マクロセルとの通信のみが行われる。このとき、Ａ地点での動作と同様に、ユーザ装置２０は、発見信号のサーチを行い、スモールセル２のカバレッジに入ったときに、発見信号を検出する。以降の動作はスモールセル１のカバレッジ内での動作と同様である。
【００６１】
（その他の例）
これまでに説明した例では、マクロ基地局１０が存在し、ユーザ装置２０はマクロ基地局１０からマクロ補助情報を受信したり、マクロ基地局１０に測定報告を送信していたが、マクロ基地局１０が存在しない構成とすることも可能である。
【００６２】
マクロ基地局１０が存在しない場合の動作例を図１１のシーケンス図を参照して説明する。図１１の例は、マクロ基地局１０が存在しない、もしくは、マクロ基地局１０のカバレッジの外にユーザ装置２０が存在し、ユーザ装置２０はスモール基地局１２と通信が可能である場合を示している。
【００６３】
本例では、例えば、マクロ補助情報に相当する補助情報がユーザ装置２０に予め格納されているものとする。スモール基地局１２は、前述したように、広ビームを形成するプリコードされた複数の発見信号を送信している（ステップ２０１）。ユーザ装置２０は、補助情報に基づき、各発見信号の送信タイミング、及び系列を把握しているので、これらを用いることで、スモール基地局１２から送信された各発見信号を受信する。ユーザ装置２０は、発見信号を受信することで、スモール基地局１２との間で周波数同期をとるとともに、タイミング同期（シンボル同期、フレーム同期等）をとる。また、発見信号により、スモール基地局１２のカバレッジでの通信に必要な情報（最小限のシステム情報等）を受信してもよい。
【００６４】
ユーザ装置２０は、受信できた発見信号についての受信品質（受信電力等）を測定し、測定結果を測定報告（ｍｅａｓｕｒｅｍｅｎｔ  ｒｅｐｏｒｔ）としてスモール基地局１２に送信する（ステップ２０２）。測定報告には、受信できた発見信号の識別情報（識別子、インデックス等）、各発見信号についての受信品質（例：受信電力等）が含まれる。また、例えば、受信品質が最も高い発見信号のみについての測定報告を送信してもよい。更に、例えば、受信品質が高いほうから所定数個の発見信号についての測定報告を送信することとしてもよい。
【００６５】
発見信号についての測定報告をユーザ装置２０から受信したスモール基地局１２は、当該測定報告に基づいて、ユーザ装置２０が最も良好に受信した発見信号（広ビーム）を特定し、当該発見信号に対応する、ユーザ装置２０が監視すべき測定用参照信号を決定する（割り当てる）。そして、スモール基地局１２は、ユーザ装置２０が受信すべき測定用参照信号のタイミング及び系列等を含む制御情報をユーザ装置２０に通知する（ステップ２０３）。なお、ユーザ装置２０が、発見信号と測定用参照信号の対応情報を保持している場合、ユーザ装置２０は、上記測定報告送信と制御情報受信を行うことなく下記のように測定用参照信号の受信を行うこととしてもよい。
【００６６】
上記のステップ２０３での制御情報を受信したユーザ装置２０は、狭ビームで送信される限定された数の測定用参照信号を監視することができる。ユーザ装置２０は、上記の制御情報に従って、スモール基地局１２から送信される各狭ビームの複数の測定用参照信号を受信し（ステップ２０４）、受信品質（受信電力、ＣＱＩ等）の測定を行って、例えば最良の測定用参照信号の識別情報を含むフィードバック情報を上りチャネルを用いてスモール基地局１２に送信する（ステップ２０５）。その後の動作は、図８の説明と同様である。
【００６７】
（発見信号、測定用参照信号、ビーム形成等の具体例）
以上、発見信号、測定用参照信号の例や、これらを使用した動作例を説明したが、以下では、これらの信号の内容やビーム形成に関するより具体的な例を説明する。
【００６８】
前述したように、スモール基地局１１、１２（以下、記述を簡潔にするために、ここでの具体例の説明では、これらを単に「基地局」と記述する）が、発見信号を広ビームで送信し、測定用参照信号を狭ビームで送信することで、階層的な狭ビームのサーチを可能としている。また、前述したように、発見信号として同期信号を用いることができるが、本具体例では、発見信号は、同期信号（ＰＳＳ／ＳＳＳ）であるとする。
【００６９】
発見信号のビーム及び測定用参照信号のビームがどのような形で送信されるのかの具体例を図１２、図１３に示す。
【００７０】
図１２、図１３は、基地局のアンテナから見たビームの方向を示し、図示のとおり、横方向が水平方向角度を示し、縦方向が垂直方向角度を示す。
【００７１】
図１２は、基地局が、７つの広ビームで発見信号を送信し、各広ビーム内の８つの狭ビームで測定用参照信号を送信する場合の例を示す。図１２に示すように、広ビームは水平方向に、一部重複しながら並べられた形である。一例として、１広ビームは１ＯＦＤＭシンボルで送信され、１スロット（７シンボル）で図１２に示す広ビーム＃０〜＃６が送信される。この点は、図１３の場合でも同様である。なお、本具体例では、参照信号のビームのＩＤをビームグループＩＤと呼び、測定用参照信号のビームのＩＤをビームＩＤと呼ぶ。ビームグループＩＤは、発見信号（ＰＳＳ／ＳＳＳ）の系列から取得でき、ビームＩＤは、測定用参照信号の系列から取得できる。
【００７２】
図１３は、基地局が、７つの広ビームで発見信号を送信し、各広ビーム内の８つの狭ビームで測定用参照信号を送信する場合の他の例を示す。図１３に示す例では、広ビーム＃０〜＃６のうち、＃０〜＃４は垂直方向の上側に形成され、＃５〜＃６は、＃０〜＃４の下側に、＃０〜＃４よりも垂直方向の幅は狭く、水平方向の幅が広い形状で形成される。図１３に示すような形状により、例えば、セル端のユーザを効果的にカバーできる。
【００７３】
上記のように、本具体例では、発見信号としてＰＳＳ／ＳＳＳを用いる。例えば、ＰＳＳはシンボルタイミング同期をとるために使用し、ＳＳＳは無線フレーム同期をとるために使用することができるが、これに限られるわけではない。
【００７４】
ＰＳＳの系列及びＳＳＳの系列のサイト間での割り振り方の例を図１４、図１５を参照して説明する。
【００７５】
図１４に示すように、同一サイト（同一基地局と同義）において、ＰＳＳの系列は全シンボル（前記の例では７シンボル）で同一とする。複数サイト間では、系列を同じにしてもよいし、個々のサイトで系列を異ならせてもよい。図１４は、複数サイト間で系列が同じ場合を示している。
【００７６】
図１５に示すように、ＳＳＳの場合は、シンボル（ビーム）間で系列を異ならせる。複数サイト間では、系列を同じにしてもよいし、個々のサイトで系列を異ならせてもよい。図１５は、個々のサイトで系列を異ならせる場合を示している。ビームグループＩＤのサーチに関して、例えば、図１４と図１５のＰＳＳ／ＳＳＳの組み合わせを採用し、ＰＳＳ（１系列）を初期の同期に使用し、ＳＳＳ（ビーム間で異なる）をビームグループＩＤの検出に使用することが考えられる。
【００７７】
また、一例として、システムにおいて３種類のＰＳＳの系列を規定し、１６８のＳＳＳの系列を規定した場合、全部で５０４個のビームグループＩＤを使用できることになる。
【００７８】
＜ビームＩＤサーチについて＞
これまでに説明したように、発見信号と測定用信号は階層的な関係にあり、ユーザ装置２０は、広ビームにより良好な発見信号を受信すると、それに対応する複数の測定用信号を複数の狭ビームで受信し、特定の測定用参照信号を選択して、それに対するフィードバックを基地局に返す動作を行う。この動作は、良好に受信できる測定用参照信号のビームのビームＩＤをサーチすることに相当するから、ビームＩＤサーチと呼ぶことができる。
【００７９】
図１２等に示したように、７つの広ビームと、１広ビームあたり８つの狭ビームを形成する場合におけるビームＩＤサーチの階層構造の例を図１６に示す。
【００８０】
図１６に示すように、７つの広ビームに対応するビームＩＤ：＃０〜＃６の各々に、８つの狭ビームに対応する８つのビームＩＤ（全部で＃０〜＃５５）が対応付けられる（図１６のＡに示す）。ただし、図１２に示したように、広ビームはオーバーラップ（重複）を許容しているので、例えば、ビームグループＩＤ＃０配下のビームＩＤ＃５〜７が、ビームグループＩＤ＃１配下のビームＩＤ＃８〜１０と同じである場合が生じる。そのような場合、該当基地局においては、ビームグループＩＤ＃１配下のビームＩＤ＃８〜１０を、ビームＩＤ＃５〜７としてＩＤ付けを行って、ＩＤ管理をしてもよい。図１６のＢはそのようなＩＤ付けの例を示している。
【００８１】
ところで、これまでの説明では、ビームＩＤサーチに使用する測定用参照信号のビームは、発見信号のビームよりも狭い狭ビームを用いているが、これは一例であり、測定用参照信号のビームも参照信号のビームと同様の広ビームであってもよい。
【００８２】
測定用参照信号のビームとして広ビームを使用することで、各ビームが狭ビームよりも広い範囲をカバーするので、モビリティに対する耐性（Ｒｏｂｕｓｔｎｅｓｓ）が狭ビームよりも向上する。また、狭ビームの場合に比べてビームサーチの複雑さが低減される。ビームフォーミングゲイン及びカバレッジについては、広ビームよりも狭ビームのほうが良好であるが、広ビームを使用する場合に、測定用参照信号送信に割り当てるリソースを増加させることでビームフォーミングゲイン及びカバレッジを改善することができる。また、広ビームの場合、狭ビームの場合と比較して、測定する信号数が少なくなり、測定報告（フィードバック）の情報量が少なくてよい。
【００８３】
測定用参照信号を送信するビームは、広ビーム、狭ビームに限られず、これらの中間の広さのビームである中間（ｍｉｄｄｌｅ）ビームを使用してもよい。図１７に中間ビームを使用する場合の例を示す。図１７の例では、＃０〜＃１３の１４中間ビームが使用される。この場合、各中間ビームには５つの狭ビームが含まれる。このようなビームのグルーピングは、例えば、非常に多くのアンテナ素子を持つスーパーマッシブＭＩＭＯ等を用いる場合に適用することができる。
【００８４】
＜ＰＳＳ／ＳＳＳ、測定用参照信号のマッピングの例＞
発見信号及び測定用参照信号の無線リソースのマッピング例として、図６に示す例を既に説明したが、ここでは、発見信号としてＰＳＳ／ＳＳＳを用いる具体例におけるマッピング例について説明する。
【００８５】
図１８は、ＰＳＳ／ＳＳＳのマッピング例を示す図である。図１８に示すように、ＰＳＳとＳＳＳがシステム帯域の中央部分のリソースブロックに割り当てられる。図１８の上半分のＰＳＳ／ＳＳＳと、下半分のＰＳＳ／ＳＳＳとは同じ系列であるが、送信ダイバーシティを得るために、周波数領域の上半分と下半分で異なるプリコーディングベクトルが乗算される。なお、本例は、基地局が直交偏波アンテナ（Ｄｕａｌ  Ｐｏｌａｒｉｚｅｄ  Ａｎｔｅｎｎａ）を備えており、プリコーディングベクトルは、直交偏波アンテナにおける直交偏波のアンテナポートと水平偏波のアンテナポートに適用されるものである。
【００８６】
図１８に示す例において、図６（ｂ）と同様に、ＰＳＳは、シンボル単位で異なる広ビームで送信され、ＳＳＳも、シンボル単位で異なる広ビームで送信される。ただし、これは例であり、これに限定されない。
【００８７】
図１９は、ＰＳＳ／ＳＳＳの送信間隔の例を示す図である。図１９に示すように、本例では、１０ｍｓのフレームに１回の間隔で送信される。図１８、図１９に示すように、１サブフレームで送信ダイバーシティを持たせてＰＳＳ／ＳＳＳを送信することで、ユーザ装置２０は、迅速にＰＳＳ／ＳＳＳを検出できる。
【００８８】
図２０に、上記のようなＰＳＳ／ＳＳＳを用いる場合における測定用参照信号のマッピング例を示す。図２０に示すように、本例では、ＰＳＳの上と下に、ＰＳＳを送信するビームグループＩＤに属する複数狭ビームで送信される測定用参照信号がマッピングされる。ＰＳＳの上と下にマッピングされている測定用参照信号は同じ系列を有する。ＰＳＳの上と下にマッピングされている測定用参照信号に異なるプリコーディングベクトルを乗算することで送信ダイバーシティを得ている。
【００８９】
同様に、ＳＳＳの上と下に、ＳＳＳを送信するビームグループＩＤに属する複数狭ビームで送信される測定用参照信号がマッピングされる。ＳＳＳの上と下にマッピングされている測定用参照信号は同じ系列を有する。ＳＳＳの上と下にマッピングされている測定用参照信号に異なるプリコーディングベクトルを乗算することで送信ダイバーシティを得ている。
【００９０】
すなわち、図２０に示すマッピング例では、１つのビームグループあたり、４つの測定用参照信号ブロックがマッピングされる（ＰＳＳの上下、ＳＳＳの上下）。図２０における＃０〜＃６の番号は、それぞれビームグループＩＤを示し、番号が振られた各ブロックのリソースに、当該番号のビームグループに属する複数狭ビームで送信される測定用参照信号がマッピングされている。
【００９１】
各ブロック（時間長は１シンボル）の中の信号マッピングの例を図２０の右側に示している。図２０の例において、番号は該当リソースで信号を送信するビーム（測定用参照信号）を示す。図２０の例では、８ビーム（８測定用参照信号）が分散してサブキャリアにマッピングされている。１ブロックの帯域幅は特定の値に限定されないが、例えば、１４リソースブロック長とすることができる。
【００９２】
図２０右側の例は、１広ビーム（ＰＳＳ／ＳＳＳ）に８つの狭ビーム（測定用参照信号）が属する場合の例である。１広ビーム（ＰＳＳ／ＳＳＳ）に１つの広ビーム（測定用参照信号）が属する場合のマッピング例を図２１に示す。この場合、ＰＳＳ／ＳＳＳのビームと測定用参照信号のビームは同じである。また、リソースマッピングについては図２１（ａ）に示すように連続的なサブキャリアマッピングとしてもよいし、図２１（ｂ）に示すように、分散したマッピングとしててもよい。分散したマッピングとする場合、割り当てたサブキャリアにパワーブースティング（電力増加）を適用してもよい。
【００９３】
１広ビーム（ＰＳＳ／ＳＳＳ）に２つの中間ビーム（測定用参照信号）が属する場合のマッピング例を図２２に示す。この場合、図２３に示すように、中間ビームは広ビームの約半分の大きさである。また、リソースマッピングについては図２２（ａ）に示すように連続的なサブキャリアマッピングとしてもよいし、図２２（ｂ）に示すように、分散したマッピングとしててもよい。分散したマッピングとする場合、割り当てたサブキャリアにパワーブースティング（電力増加）を適用してもよい。
【００９４】
図２０に示したマッピング例におけるビームＩＤサーチの例を図２４、図２５を参照して説明する。
【００９５】
図２４に示す例において、ユーザ装置２０は、３つの基地局（サイトＡ、サイトＢ、サイトＣ）からＰＳＳ／ＳＳＳを受信し、複数受信した信号のうち、サイトＡのビームグループＩＤ＃１の広ビームで送信された信号と、サイトＢのビームグループＩＤ＃５の広ビームで送信された信号を良好に受信したとする。良好に受信したとは、例えば、所定の閾値以上の受信電力であった、上位から所定番目（図２４の例では２番目）までの受信電力であった、等のことである。
【００９６】
ユーザ装置２０は、サイトＡのビームグループＩＤ＃１とサイトＢのビームグループＩＤ＃５に属する複数の測定用参照信号のリソース情報及び系列（ビームＩＤ）を保持しているとする。これらの情報は、測定報告として、サイトＡのビームグループＩＤ＃１とサイトＢのビームグループＩＤ＃５をマクロ基地局１０に通知することで、マクロ基地局１０から受信してもよいし、もっと前の段階（マクロ基地局１０のカバレッジに入った段階等）で、各サイトの各ビームグループＩＤと測定用参照信号のリソース及び系列との対応情報をマクロ基地局１０から受信することとしてもよい。また、これら以外の方法で取得してもよい。
【００９７】
図２５（ａ）に示すように、ユーザ装置２０は、ビームグループＩＤ＃１、＃５に属するブロックにおける各測定用参照信号の受信電力測定を行い、最も受信電力の大きな測定用参照信号を特定する。特定された測定用参照信号に対応するビームＩＤは前述したフィードバック情報として基地局に送信される。例えば、図２５（ｂ）に示す階層構造において、ビームグループＩＤ＃１に属するビーム＃５の信号の受信電力が最も大きかった場合、当該ビームＩＤが基地局に送信される。
【００９８】
なお、上記の例では、サイトＡとサイトＢについてビームグループＩＤ＃１、＃５が選択されたが、例えば、サイトＡのみについて、ビームグループＩＤ＃１、＃５が選択される場合においても、同様の動作を行うことができる。
【００９９】
＜ＣＳＩ−ＲＳ、ビームトラッキングについて＞
図８、図１１等で説明した動作例では、良好に受信する測定用参照信号を特定し、フィードバック情報（ビームＩＤを含む）を基地局に送信した後、データ送受信を行う例を示しているが、これに代えて、もしくはこれに加えて、プリコードされたＣＳＩ−ＲＳの送信を行ってもよい。測定用参照信号送信に加えてＣＳＩ−ＲＳ送信を行う場合、当該ＣＳＩ−ＲＳは、本実施の形態の階層的構造における測定用参照信号の下の階層の参照信号と位置付けることが可能である。また、発見信号（ＰＳＳ／ＳＳＳ）の下にプリコードされたＣＳＩ−ＲＳがあってもよい。つまり、これまでに説明してきた測定用参照信号としてプリコードされたＣＳＩ−ＲＳを使用してもよい。
【０１００】
基地局は、フィードバック情報から得られるビームＩＤに対応するビームでＣＳＩ−ＲＳを送信することができる。また、基地局は、フィードバック情報に基づいて、ユーザ装置２０におけるＣＳＩ−ＲＳに対するフィードバック方法（周期、使用周波数リソース等）を設定（ｃｏｎｆｉｇｕｒｅ）してもよい。
【０１０１】
また、基地局は、例えば、複数の狭ビーム（例：各ビームは、測定用参照信号送信用ビームと同じ広さでもよいし、それより狭いビームでもよい）でＣＳＩ−ＲＳを複数のストリームで同時にユーザ装置２０に送信することで、後述するビームトラッキングを行うことができる。ＣＳＩ−ＲＳ用の受信リソースは、例えば、ＥＰＤＣＣＨによりダイナミックに割り当ててもよいし、セミスタティックに割り当ててもよい。また、ＣＳＩ−ＲＳの系列は、ＵＥ固有のＩＤでスクランブルすることで、ＵＥ固有としてもよい。
【０１０２】
ビームトラッキングは、例えば、図２６に示すビームを形成することで実施することができる。図２６は、基地局のアンテナから見たビームの方向を示し、紙面の横方向が水平方向、縦方向が垂直方向である。
【０１０３】
基地局は、ユーザ装置２０に対して、測定用参照信号により選択され現在形成しているビーム（現在のビーム）＃０の他に、ビーム＃１〜＃６でトラッキング用のＣＳＩ−ＲＳを送信する。ビーム＃１〜＃６は、現在のビーム＃０がユーザ装置２０に追従できなくなった場合に用いられる候補ビームである。データ送信用のビーム＃０と候補ビーム＃１〜＃６を合わせて、ビームトラッキングのためのビームストリームが形成される。
【０１０４】
一例として、基地局が直交偏波アンテナで８アンテナポートをサポートする場合において、各候補ビーム（全６ビーム）の送信に１アンテナポート（１偏波）を利用し、現在のビームの送信の送信に２アンテナポート（２偏波：Ｄｕａｌ  ｐｏｌａｒｉｚａｔｉｏｎ）を利用することとしてもよい。また、もしも、複数のパス（例：図２の構成のように、２方向から信号を受信する場合）がある場合には、各パスにおけるビームストリームを異なるサブフレームで実現してもよい。
【０１０５】
ユーザ装置２０は、ビームストリームを受信すると、各ビームの受信電力等を測定して、受信状態の良好なビーム番号（例：ＣＳＩ−ＲＳの系列に含まれる）を基地局にフィードバックする。フィードバックされるビーム番号は最適なビーム番号であってもよいし、上位Ｘ個のビーム番号であってもよい。また、ビーム＃０〜＃６の全てについて測定結果をフィードバックしてもよいし、受信品質が良好な順あるいは測定結果が悪い順にフィードバックしてもよい。フィードバックは、例えば、基地局からのコンフィギュレーションに基づき周期で定期的に行うことができる。また、ＣＳＩ−ＲＳに対するフィードバックとして、ビーム番号に加えて、ＲＩ、ＣＱＩ、ＰＭＩを送信してもよい。
【０１０６】
基地局は、ビームトラッキングのフィードバック情報に基づいて、ユーザ装置２０にとって最適なビームを現在のビーム＃０として設定することで、データ送信の方向をユーザ装置２０に追従させる。その様子を図２７に示す。図２７の例では、最初のビーム＃１が、次にビーム＃０として設定されることが示されている。ユーザ装置２０の移動速度が速い場合など、ビームトラッキングが外れた場合は、測定用参照信号によるビーム選択を行う。
【０１０７】
＜キャリアアグリゲーションにおけるＣＣへの信号マッピングについて＞
ユーザ装置２０は、基地局との間で複数のコンポーネントキャリア（ＣＣ）を使用して、キャリアアグリゲーション（ＣＡ）による通信を行うことが可能である。
【０１０８】
本具体例では、例えば、下りリンクについて、ＰＤＳＣＨ、ＥＰＤＣＣＨ、ＣＳＩ−ＲＳ等については、各ＣＣ（全ＣＣ）で基地局から送信し、また、上りリンクについては、ＰＵＳＣＨ、ＥＰＵＣＣＨ、ＳＲＳ（サウンディング参照信号）を各ＣＣ（全ＣＣ）で送信する。
【０１０９】
また、同期信号（ＰＳＳ／ＳＳＳ等）、測定用参照信号、ＰＲＡＣＨについては、全ＣＣで送信してもよいし、１つのＣＣで送信してもよい。
【０１１０】
図２８に、キャリアアグリゲーションにおけるＣＣへの信号マッピングの一例を示す。なお、図２８は、上りと下りが時間分割されたＴＤＤの例であるが、ＦＤＤであっても同様のマッピングが可能である。ＦＤＤに場合、図２８において、下り上りでＣＣの周波数が異なるものと見ればよいのである。
【０１１１】
図２８の例では、１つのＣＣであるＣＣ１でＰＲＡＣＨを送信し、キャリアアグリゲーションを構成する他のＣＣであるＣＣ２、３、４ではＰＲＡＣＨを送信しない。また、同期信号（ＰＳＳ／ＳＳＳ）については、１つのＣＣであるＣＣ１で送信し、キャリアアグリゲーションを構成する他のＣＣであるＣＣ２、３、４では送信しない。また、測定用参照信号については、全ＣＣで送信する。
【０１１２】
このように、基地局の通信を行うための初期に使用する信号（同期信号、ＰＲＡＣＨ等）のみを１つのＣＣのみで送信することで、その後の処理を迅速に行うことが可能となる。
【０１１３】
（装置構成）
次に、これまでに説明したユーザ装置２０、マクロ基地局１０、スモール基地局１２の構成例を説明する。スモール基地局１１、１２は同様の構成であるため、代表としてスモール基地局１２の構成を説明する。以下で説明する各装置の構成は、本実施の形態に特に関連する構成を示すものであり、各装置においては、例えばＬＴＥに準拠した動作を実行可能なユーザ装置／基地局の機能を含む。
【０１１４】
図２９に、ユーザ装置２０の機能構成図を示す。ユーザ装置２０は、信号送信部２０１、信号受信部２０２、受信品質測定部２０３、制御情報格納部２０４、フィードバック情報生成部２０５を備える。
【０１１５】
信号送信部２０１は、上位レイヤの情報から下位レイヤの信号を生成し、無線で送信する。信号受信部２０２は、無線で受信する下位レイヤの信号から上位レイヤの情報を取得する。
【０１１６】
また、信号受信部２０２は、マクロ基地局１０から受信する制御信号等からマクロ補助情報を取得し、当該マクロ補助情報を制御情報格納部２０４に格納するとともに、制御情報格納部２０４に格納されているマクロ補助情報に基づいて、スモール基地局から送信される発見信号を受信する。また、信号受信部２０２は、マクロ基地局１０から制御情報（サーチすべき測定用参照信号の情報等）を受信し、制御情報格納部２０４に格納するとともに、当該制御情報に基づいて、測定用参照信号を受信する。
【０１１７】
制御情報格納部２０４は、マクロ基地局１０から受信する各種の制御情報（マクロ補助情報等）を格納する。また、制御情報格納部２０４は、マクロ基地局１０から受信する情報以外の情報（予め設定された情報、スモール基地局から受信した情報等）を格納してもよい。
【０１１８】
受信品質測定部２０３は、信号受信部２０２により受信する発見信号の受信品質（受信電力等）を測定し、測定結果をフィードバック情報生成部２０５に渡すととともに、信号受信部２０２により受信する測定用参照信号の受信品質（受信電力、ＣＱＩ、ランク等）を測定（推定）し、測定結果をフィードバック情報生成部２０５に渡す。また、受信品質測定部２０３は、ビームトラッキング用のＣＳＩ−ＲＳの受信品質を測定することも可能である。
【０１１９】
フィードバック情報生成部２０５は、発見信号から得られた測定結果からフィードバック情報を生成し（適切なフォーマットにする等）、信号送信部２０１に渡すとともに、測定用参照信号から得られた測定結果からフィードバック情報を生成し（適切なフォーマットにする等）、信号送信部２０１に渡す。また、フィードバック情報生成部２０５は、ビームトラッキング用のＣＳＩ−ＲＳに基づくフィードバック情報の生成を行うこともできる。
【０１２０】
信号送信部２０１は、発見信号から得られた測定結果に基づくフィードバック情報を測定報告としてマクロ基地局１０もしくはスモール基地局１２に送信する。また、信号送信部２０１は、測定用参照信号から得られた測定結果に基づくフィードバック情報をスモール基地局１２に送信する。また、信号送信部２０１は、信号送信部２０１は、ビームトラッキング用のＣＳＩ−ＲＳから得られた測定結果に基づくフィードバック情報をスモール基地局１２に送信することもできる。なお、信号受信部２０２は、受信する発見信号（ＰＳＳ／ＳＳＳ等）に基づき、スモール基地局１２との間で同期（時間同期、周波数同期）をとる機能も有する。
【０１２１】
図３０に、マクロ基地局１０の機能構成図を示す。図３０に示すように、マクロ基地局１０は、信号送信部１０１、信号受信部１０２、マクロ補助情報格納部１０３、制御情報生成部１０４、基地局間通信部１０５を有する。
【０１２２】
信号送信部１０１は、上位レイヤの情報から下位レイヤの信号を生成し、無線で送信する。信号受信部１０２は、無線で受信する下位レイヤの信号から上位レイヤの情報を取得する。マクロ補助情報格納部１０３は、マクロ補助情報を格納する。マクロ補助情報は、当該マクロ基地局１０のカバレッジエリア内で使用される発見信号の送信タイミング情報、発見信号の系列情報を含む。また、マクロ補助補助情報格納部１０３には、上記発見信号の情報に加えて、測定用参照信号の送信タイミング、測定用参照信号の系列情報も格納されている。信号送信部１０１は、マクロ補助情報格納部１０３に格納されたマクロ補助情報をユーザ装置２０に送信する。また、信号送信部１０１は、制御情報生成部１０４により生成された制御情報をユーザ装置２０に送信する。
【０１２３】
また、信号受信部１０２は、ユーザ装置２０から発見信号による測定に基づく測定報告を受信し、制御情報生成部１０４が、当該測定報告に基づいて、制御情報（測定用参照信号の情報等）を生成する。基地局間通信部１０５は、制御情報生成部１０４により生成された制御情報（Ｓｃｅｌｌの割り当て情報等）をスモール基地局１２に送信する。
【０１２４】
図３１に、スモール基地局１２の機能構成図を示す。図３１に示すように、スモール基地局１２は、信号送信部１２１、信号受信部１２２、制御情報生成部１２３、基地局間通信部１２４を有する。
【０１２５】
信号送信部１２１は、上位レイヤの情報から下位レイヤの信号を生成し、無線で送信する。信号受信部１２２は、無線で受信する下位レイヤの信号から上位レイヤの情報を取得する。
【０１２６】
信号受信部１２２は、ユーザ装置２０から測定用参照信号による測定に基づくフィードバック情報を受信し、制御情報生成部１２３が、当該フィードバック情報に基づいて、制御情報（データ信号送信のための狭ビーム、リソース、ＭＣＳ、ランク等の割り当て情報等）を生成する。また、信号送信部１２１は、制御情報生成部１２３により生成された制御情報をユーザ装置２０に送信する。また、基地局間通信部１２４は、マクロ基地局１０から制御情報（Ｓｃｅｌｌの割り当て情報等）を受信し、信号送信部１２１と信号受信部１２２は、当該制御情報に基づいて、例えばマクロ基地局１０のＰｃｅｌｌと、当該スモール基地局１２のＳｃｅｌｌとを用いたキャリアアグリゲーションのための送受信制御を行う。また、信号送信部１２１及び信号受信部１２２は、図２８に示すように、ユーザ装置２０との間で、キャリアアグリゲーションにおける信号送受信を行うことも可能である。更に、信号送信部１２１は、ビームトラッキング用のＣＳＩ−ＲＳの送信を行い、信号受信部１２２は、ＣＳＩ−ＲＳに基づくフィードバック情報を受信し、制御情報生成部１２３が、当該フィードバック情報に基づいて、最適なビームを選択し、選択した結果を含む制御情報を作成し、信号送信部１２１から送信することも可能である。
【０１２７】
なお、これまでに説明した例では、スモール基地局１２が測定用参照信号の測定に基づくフィードバック情報を受信することで、ユーザ装置２０に対する下りの狭ビームの割り当て等を行っているが、本実施の形態の無線通信システムにＴＤＤ（ｔｉｍｅ  ｄｉｖｉｓｉｏｎ  ｄｕｐｌｅｘ）を使用し、ＴＤＤの相反性（ｒｅｃｉｐｒｏｃｉｔｙ）を利用して下りの狭ビームの割り当てを行うこともできる。すなわち、ＴＤＤでは上り下りの周波数が同一であることから、例えば、スモール基地局１２が、ユーザ装置２０から受信した信号に基づき、最適な受信品質となる受信側（上り）の狭ビームを決定し、当該狭ビームと逆方向（下り方向）の狭ビームを、当該ユーザ装置２０に対して下りの狭ビームとして割り当てるものである。
【０１２８】
また、上記のＴＤＤによる方法と、これまでに説明したフィードバック情報に基づく方法を併用してもよい。例えば、ＴＤＤにより求めた下りの狭ビームが、これまでに説明したフィードバック情報に基づき割り当てる狭ビームと近いもの（所定の閾値の範囲内）であるならば、ＴＤＤにより求めた下りの狭ビームを採用し、近くなければフィードバック情報に基づき割り当てる狭ビームを採用するといった動作を行うことができる。
【０１２９】
（実施の形態のまとめ、効果等）
以上、説明したように、本実施の形態では、基地局とユーザ装置とを備える無線通信システムにおいて前記基地局と通信を行うユーザ装置であって、前記基地局から送信される複数の異なる識別子に対応付けられた第１参照信号の受信電力を測定し、特定の第１参照信号を選択する第１参照信号受信手段と、前記第１参照信号受信手段により選択した第１参照信号の識別子と受信電力を前記基地局又はマクロセルの基地局に報告する報告手段と、前記基地局から送信される複数の第２参照信号を受信する第２参照信号受信手段と、前記第２参照信号受信手段により受信する第２参照信号の受信品質を測定し、当該受信品質に基づくフィードバック情報を前記基地局に送信する測定手段とを備えるユーザ装置が提供される。
【０１３０】
このユーザ装置により、まず、第１参照信号を受信し、次に当該第１参照信号に対応する限られた数の第２参照信号を受信する動作が可能になるため、基地局により形成される複数のビームのうち、通信に使用する特定のビームを効率的に選択することが可能となる。なお、上記の構成は、第１参照信号、第２参照信号を用いるが、これ以上の数の参照信号を用いる場合であっても、第１参照信号、第２参照信号は存在するから、上記のユーザ装置は、３階層以上の参照信号を用いるユーザ装置を包含する。
【０１３１】
前記ユーザ装置は、前記複数の第１参照信号を測定するために使用する識別子の候補を限定する補助情報をマクロセルの基地局から受信する補助情報受信手段を備えてもよい。このように補助情報をマクロ基地局から受信することで、ユーザ装置は限られた数の第１参照信号を受信することができる。
【０１３２】
また、前記ユーザ装置は、前記第１参照信号受信手段により受信した第１参照信号に基づいて、前記基地局との間の同期をとることとしてもよい。このように発見信号に同期信号の機能を持たせることで、ユーザ装置は効率良く基地局との通信を開始することができる。
【０１３３】
また、前記複数の第２参照信号が複数の異なる番号に対応付けられており、前記測定手段において、受信品質に基づいて特定の第２参照信号を選択し、選択した第２参照信号の番号及び受信品質をフィードバック情報として前記基地局に送信するようにしてもよい。受信品質に基づき選択を行うことで、最適な第２参照信号を決定できる。
【０１３４】
また、例えば、前記報告手段において、選択した第１参照信号の識別子と受信電力は上りリンクの物理共有チャネルを用いて報告し、前記測定手段において、第２参照信号の受信品質に基づくフィードバック情報は上りリンクの物理制御チャネルを用いて送信する。
【０１３５】
また、前記第１参照信号受信手段において、一部の周波数領域内のみにマッピングされた前記第１参照信号を受信し、前記第２参照信号受信手段において、前記第１参照信号がマッピングされた周波数領域よりも広い周波数領域にマッピングされた前記第２参照信号を受信するようにしてもよい。第１参照信号を一部の周波数領域内のみにマッピングすることで、能力の低いユーザ装置でも第１参照信号を発見できる。また、第１参照信号がマッピングされた周波数領域よりも広い周波数領域に第２参照信号をマッピングすることで、広い帯域に渡って受信品質を測定できる。
【０１３６】
また、本実施の形態では、基地局とユーザ装置とを備える無線通信システムにおいて前記ユーザ装置と通信を行う基地局であって、複数の異なる識別子に対応付けられた第１参照信号を送信する第１参照信号送信手段と、前記複数の第１参照信号を送信するタイミングと異なるタイミングにおいて、複数の第２参照信号を送信する第２参照信号送信手段と、前記ユーザ装置において測定された第２参照信号の受信品質に基づくフィードバック情報を受信する情報受信手段とを備え、前記第１参照信号送信手段において、一部の周波数領域内のみにマッピングされた第１参照信号を送信し、前記第２参照信号送信手段において、第１参照信号がマッピングされた周波数領域よりも広い周波数領域にマッピングされた第２参照信号を送信する基地局が提供される。
【０１３７】
なお、上記の構成は、第１参照信号、第２参照信号を用いるが、これ以上の数の参照信号を用いる場合であっても、第１参照信号、第２参照信号は存在するから、上記の基地局は、３階層以上の参照信号を用いる基地局を包含する。
【０１３８】
前記複数の第２参照信号が複数の異なる番号に対応付けられており、前記情報受信手段において、受信品質に基づいて前記ユーザ装置により選択された第２参照信号の番号及び受信品質をフィードバック情報として受信するようにしてもよい。これにより、ユーザ装置は、第２参照信号に対応する受信品質を知ることができ、ランクアダプテーション、リンクアダプテーション等の制御を行うことができる。
【０１３９】
本明細書には以下の事項が開示されている。
（第１項）
基地局とユーザ装置とを備える無線通信システムにおいて前記基地局と通信を行うユーザ装置であって、
前記基地局から送信される複数の異なる識別子に対応付けられた第１参照信号の受信電力を測定し、特定の第１参照信号を選択する第１参照信号受信手段と、
前記第１参照信号受信手段により選択した第１参照信号の識別子と受信電力を前記基地局又はマクロセルの基地局に報告する報告手段と、
前記基地局から送信される複数の第２参照信号を受信する第２参照信号受信手段と、
前記第２参照信号受信手段により受信する第２参照信号の受信品質を測定し、当該受信品質に基づくフィードバック情報を前記基地局に送信する測定手段と
を備えることを特徴とするユーザ装置。
（第２項）
前記複数の第１参照信号を測定するために使用する識別子の候補を限定する補助情報をマクロセルの基地局から受信する補助情報受信手段
を備えることを特徴とする第１項に記載のユーザ装置。
（第３項）
前記複数の第２参照信号が複数の異なる番号に対応付けられており、前記測定手段において、受信品質に基づいて特定の第２参照信号を選択し、選択した第２参照信号の番号及び受信品質をフィードバック情報として前記基地局に送信する
ことを特徴とする第１項又は第２項に記載のユーザ装置。
（第４項）
前記報告手段において、選択した第１参照信号の識別子と受信電力は上りリンクの物理共有チャネルを用いて報告し、
前記測定手段において、第２参照信号の受信品質に基づくフィードバック情報は上りリンクの物理制御チャネルを用いて送信する
ことを特徴とする第１項ないし第３項のうちいずれか１項に記載のユーザ装置。
（第５項）
前記第１参照信号受信手段において、一部の周波数領域内のみにマッピングされた前記第１参照信号を受信し、
前記第２参照信号受信手段において、前記第１参照信号がマッピングされた周波数領域よりも広い周波数領域にマッピングされた前記第２参照信号を受信する
ことを特徴とする第１項ないし第４項のうちいずれか１項に記載のユーザ装置。
（第６項）
基地局とユーザ装置とを備える無線通信システムにおいて前記ユーザ装置と通信を行う基地局であって、
複数の異なる識別子に対応付けられた第１参照信号を送信する第１参照信号送信手段と、
前記複数の第１参照信号を送信するタイミングと異なるタイミングにおいて、複数の第２参照信号を送信する第２参照信号送信手段と、
前記ユーザ装置において測定された第２参照信号の受信品質に基づくフィードバック情報を受信する情報受信手段とを備え、
前記第１参照信号送信手段において、一部の周波数領域内のみにマッピングされた第１参照信号を送信し、
前記第２参照信号送信手段において、第１参照信号がマッピングされた周波数領域よりも広い周波数領域にマッピングされた第２参照信号を送信する
ことを特徴とする基地局。
（第７項）
前記複数の第２参照信号が複数の異なる番号に対応付けられており、前記情報受信手段において、受信品質に基づいて前記ユーザ装置により選択された第２参照信号の番号及び受信品質をフィードバック情報として受信する
ことを特徴とする第６項に記載の基地局。
（第８項）
基地局とユーザ装置とを備える無線通信システムにおいて前記基地局と通信を行うユーザ装置が実行する通信方法であって、
前記基地局から送信される複数の異なる識別子に対応付けられた第１参照信号の受信電力を測定し、特定の第１参照信号を選択する第１参照信号受信ステップと、
前記第１参照信号受信ステップにより選択した第１参照信号の識別子と受信電力を前記基地局又はマクロセルの基地局に報告する報告ステップと、
前記基地局から送信される複数の第２参照信号を受信する第２参照信号受信ステップと、
前記第２参照信号受信ステップにより受信する第２参照信号の受信品質を測定し、当該受信品質に基づくフィードバック情報を前記基地局に送信する測定ステップと
を備えることを特徴とする通信方法。
（第９項）
基地局とユーザ装置とを備える無線通信システムにおいて前記ユーザ装置と通信を行う基地局が実行する通信方法であって、
複数の異なる識別子に対応付けられた第１参照信号を送信する第１参照信号送信ステップと、
前記複数の第１参照信号を送信するタイミングと異なるタイミングにおいて、複数の第２参照信号を送信する第２参照信号送信ステップと、
前記ユーザ装置において測定された第２参照信号の受信品質に基づくフィードバック情報を受信する情報受信ステップとを備え、
前記第１参照信号送信ステップにおいて、一部の周波数領域内のみにマッピングされた第１参照信号を送信し、
前記第２参照信号送信ステップにおいて、第１参照信号がマッピングされた周波数領域よりも広い周波数領域にマッピングされた第２参照信号を送信する
ことを特徴とする通信方法。
【０１４０】
各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１４１】
１０  マクロ基地局
１１  スモール基地局
１２  スモール基地局
２０  ユーザ装置
１０１  信号送信部
１０２  信号受信部
１０３  マクロ補助情報格納部
１０４  制御情報生成部
１０５  基地局間通信部
１２１  信号送信部
１２２  信号受信部
１２３  制御情報生成部
１２４  基地局間通信部１２４
２０１  信号送信部
２０２  信号受信部
２０３  受信品質測定部
２０４  制御情報格納部
２０５  フィードバック情報生成部
【図１】
2020061790.tif 000003
【図２】
2020061790.tif 000004
【図３】
2020061790.tif 000005
【図４】
2020061790.tif 000006
【図５】
2020061790.tif 000007
【図６】
2020061790.tif 000008
【図７】
2020061790.tif 000009
【図８】
2020061790.tif 000010
【図９】
2020061790.tif 000011
【図１０】
2020061790.tif 000012
【図１１】
2020061790.tif 000013
【図１２】
2020061790.tif 000014
【図１３】
2020061790.tif 000015
【図１４】
2020061790.tif 000016
【図１５】
2020061790.tif 000017
【図１６】
2020061790.tif 000018
【図１７】
2020061790.tif 000019
【図１８】
2020061790.tif 000020
【図１９】
2020061790.tif 000021
【図２０】
2020061790.tif 000022
【図２１】
2020061790.tif 000023
【図２２】
2020061790.tif 000024
【図２３】
2020061790.tif 000025
【図２４】
2020061790.tif 000026
【図２５】
2020061790.tif 000027
【図２６】
2020061790.tif 000028
【図２７】
2020061790.tif 000029
【図２８】
2020061790.tif 000030
【図２９】
2020061790.tif 000031
【図３０】
2020061790.tif 000032
【図３１】
2020061790.tif 000033